(57)【要約】【課題】            組立てやすく、安価な机または椅子に適用される気圧棒コントロール・ユニットを提供する。【解決手段】        気圧棒（２）の上段空間に組立てられる内方スリーブ（３）と、中心部に支えロッド（４１）が貫通配設しているコントロール・バルブ（４）との間に所定のギャップ（２１）を介在するように設定し、気圧棒（２）の周辺壁部に前記ギャップ（２１）と同じような方向に孔部（２２）を形成させ、且つその孔部（２２）より下向きに切り欠き（２３）を形成させ、前記コントロール・ロッド（５）の予め設定された段の底側近傍に凸部（５１）を形成し、コントロール・ロッド（５）の末端部に下向きに収納区域（５２）を形成する。【選択図】図４。
0003104634.tif 000002
【実用新案登録請求の範囲】
【請求項１】
順に、中央部に支えロッドが貫通しているコントロール・バルブと、中央孔部には当接突出部が結合している内方スリーブとが組立てられている気圧棒を備えており、その気圧棒組立体の先端部を、結合予定の物体の底端部における重心段に位置決め結合されるベースに形成される孔部に緊密的に嵌め付けさせ、且つ前記のベースのある側に予め保留される穿孔より、コントロール・ロッドを貫通し、そのコントロール・ロッドの末端部を前記気圧棒の対応しあう当接突出部の上端部に当接させるようにする、机または椅子に適用される気圧棒コントロール・ユニットであって、
前記気圧棒の上段の空間に組立てられる内方スリーブと、その中心に支えロッドが貫通結合されるコントロール・バルブとの間には、所定のギャップが介在されるように設定され、且つその気圧棒の周辺の壁部の前記のギャップと同じような方向に孔部を形成させ、且つその孔部より下方へ切り欠きを凹んで形成すると共に、前記のコントロール・ロッドの予め設定される段落の底側近傍に凸部を形成することによって、それを気圧棒の側辺部における孔部に差し込んだ後に、方向が任意に旋回不能な制限手段を形成でき、且つコントロール・ロッドの末端部近傍に形成される下向きの収納区域によって前記コントロール・バルブの中心支えロッドを当接することができ、
前記の構成を有する気圧棒組立体の上段部が緊密的に机または椅子の底端部の重心部位に形成される金属製のブシュに組み入れられ、机または椅子の気圧棒組立体の製作を簡素化及びコストを低減することができるようにしたことを特徴とする、
机または椅子に適用される気圧棒コントロール・ユニット。
【考案の詳細な説明】
【技術分野】
【０００１】
本考案は、机または椅子に適用される気圧棒コントロール・ユニットに係わり、特に、机または椅子の底端部に取り付けられて、その高さを調整可能な気圧棒組立体を好適に設定することによって、その気圧棒組立体の製造手数を簡素化すると共に、その製造コストを低減する目的を達成することができる、机または椅子に適用される気圧棒コントロール・ユニットに関するものである。
【背景技術】
【０００２】
業界で、開発してきた、机または椅子の底部に据え付けられる、サポート・レッグ・フレーム方向の昇降操縦用装置は、普段は、気圧棒組立体（１０）（図１と図２参照）を使用することによって簡単な高さをコントロール手段とし、この種の気圧棒組立体（１０）は、支持外部管部材（２０）の中央部に気圧棒（３０）を取り付けるものが多く、その気圧棒（３０）の内部の上端部近傍には、順に中央部に支えロッド（４０１）が貫通配置しているコントロール・バルブ（４０）と、中心孔部に当接突出部（５０１）が結合している内方スリーブ（５０）とが嵌めつけられ、その気圧棒組立体（１０）の先端部が椅子（６０）の底側部における重心段落に位置決め結合されるベース（７０）に形成される孔部（７０１）に緊密的に嵌めつけられることができ、それと同時に、そのベース（７０）のある側に予め保留される通孔（７０２）にコントロール・ロッド（８０）が貫通配設され、且つそのコントロール・ロッド（８０）の末端部を前記当接突出部（５０１）の上端部に当接させるようにする。このうおうな場合、気圧棒組立体（１０）が椅子（６０）または机の底部に取り付けられてその高さ方向の調整を実行する場合に、手動で前記コントロール・ロッド（８０）を上に向けて揺動することにより、その末端部によって前記当接突出部（５０１）を下向きに圧迫させることにより、気圧棒（３０）の内部の上に向きの突き上げる圧力を解放し、こうすることにより、使用者は、自分の好みに従って好適に高さを調整でき、その後に、コントロール・ロッド（８０）を放すと、前記の当接突出部（５０１）に再び気圧棒（３０）の内部圧力によって位置決めを実行させることができる。この種の区圧棒組立体（１０）は、椅子または机などに合せて高さの調節や方向の制限などを行う場合に、確かに操作に便利である利点を獲得できる。しかしながら、業者は、その椅子（６０）の底端部にベース（７０）を組立加工する必要があり、または、机の底部の重心部位に金属保持部材を結合することによって、所定の仕様の気圧棒組立体（１０）を合せて使用する必要があるので、椅子または机が方向調節用の高さ操縦用組立体を結合することには、かなり手数がかかり、それに対して加工コストが高くなることを招く場合もしばしばある。
【考案の開示】
【考案が解決しようとする課題】
【０００３】
前記に説明したように、本考案は、椅子または机の底部に取り付けられる高さを調節するための気圧棒組立体を組み立てるための構造を新たな形態にし、業者はこの種の椅子や机などと結合される気圧棒組立体を製造する場合に、簡単な取り付けを実行すればよく、対象物（椅子または机）と高さの調節を行う場合に、操作に利便性を提供できるほかに、その製造コストを大幅に低減できる効果をも図れる、気圧棒構造を提供することをその主要な解決しようとする課題とする。
【課題を解決するための手段】
【０００４】
前記の目的を図るために、本考案は、椅子または机の底側に、高さを調節するための気圧棒組立体を取り付ける場合に、気圧棒の上段空間に組立てられる内方スリーブと、中心部に支えロッドが貫通配設しているコントロール・バルブとの間に所定のギャップを介在させるように設定し、且つその気圧棒の周辺の壁部に、そのギャップと同じ方向に孔部を形成し、且つその孔部より下に向きの切り欠きを凹んで形成し、コントロール・ロッドの予め設定された段に、底側近傍に突出部を設け、且つそれを気圧棒の側辺部における孔部に嵌めつけた後に、方向が任意に旋回しない制限手段を形成でき、且つそのコントロール・ロッドの末端部近傍に下向けて形成される収納区域を前記コントロール・バルブの中心部における支えロッドに当接し、このような組立構造の気圧棒組立体の上段部が椅子または机の底側の重心部位に形成される金属製のブシュに緊密的に嵌めつけられ、机または椅子の組立て用の気圧棒組立体の製造を簡素化及びコストを低減する効果を取得できる。
【考案を実施するための最良の形態】
【０００５】
本考案による、机または椅子に適用される気圧棒コントロール・ユニットは、図３と図４に示すように、主に、気圧棒組立体（１）と、机の台または椅子のパッド（６）とからなり、その中では、気圧棒組立体（１）においては、気圧棒（２）の上段空間に組立てられる内方スリーブ（３）と、中心部に支えロッド（４１）が貫通配設しているコントロール・バルブ（４）との間に所定のギャップ（２１）が介在されるように設定され、そのギャップ（２１）は、コントロール・ロッド（５）の末端部が嵌めつけられた後に、上下作動可能な角度の大きさに従って決められるものであり、また、その気圧棒（２）の周辺壁部に前記ギャップ（２１）と同じような方向に孔部（２２）を形成させ、且つその孔部（２２）より下向きの切り欠き（２３）を形成させ、前記コントロール・ロッド（５）の予め設定された段落の底側近傍に凸部（５１）を形成し、且つそれを気圧棒（２）に形成される孔部（２２）に嵌めつけた後にその凸部（５１）をその切り欠き（２３）の制限によって任意に旋回しないような制限手段を形成し、それと同時に、そのコントロール・ロッド（５）の末端部に下向きに収納区域（５２）を形成し、それをコントロール・バルブ（４）の中心部の支えロッド（４１）に対応当接できる。
【０００６】
また、机または椅子のそのパッド（６）の底側の基部（６１）の重心区域が、成形される際に、一体になるように、金属製のブシュ（７）が埋め込まれ、そのブシュ（７）の内径と造形が気圧棒組立体（１）の予め設定される外径に従って決められるものであり、椅子に設けられるパッド（６）と、気圧棒組立体（１）とが結合される際に、直接に気圧棒（２）の上段部をその椅子のパッド（６）の基部（６１）における重心部におけるブシュ（７）に緊密的に嵌めつけるようにし、そうする操作だけで、二つの部材同士を安定な方向の結合を完成できる。
【０００７】
この種の底側に気圧棒組立体（１）が取り付けられる椅子のそのパッド（６）に対し、高さの昇降調節を実行する場合に、図５に示すように、手動でそのコントロール・ロッド（５）を上向きに揺動することによってその末端部を気圧棒（２）の有するギャップ（２１）の箇所で下向きに変位させることによって、コントロール・バルブ（４）の中心部の支えロッド（４１）に対し下向きに圧迫するように操作し、こうすると、気圧棒（２）の内部の上向きの突き上げ圧力を解放し、その後で、使用者は臀部をそのパッド（６）に直接に座ることによる重力によって好適にその高さを設定でき、所定の高さに至ると、手部が前記のコントロール・ロッド（５）を放すと、その末端部における収納区域（５２）が再び気圧棒（２）の内部の圧力の作用によって相互に当接されて位置決め状態を呈するようになる（図４参照）。
【産業上の利用可能性】
【０００８】
このように机または椅子の底側に組立てられる気圧棒組立体が、関連する部材を合せて製造及び組立てる際に、簡単な加工手数によって快速に気圧棒と対象物、例えば、机の台または椅子のパッドとの間の安定な位置決め加工を実行できると共に、その机または椅子の底側に気圧棒を組立てる製造コストをも低減することができるようになっている。
【図面の簡単な説明】
【０００９】
【図１】従来の気圧棒組立体が椅子の底部に結合される場合の様子を示す斜視図である。
【図２】従来の気圧棒組立体が椅子の底部に結合される場合の前側部分の様子を示す断面図である。
【図３】本考案の気圧棒組立体と椅子のパッドとの構成を示す分解斜視図である。
【図４】本考案の気圧棒組立体が椅子の底部に結合される場合の前側部分の様子を示す断面図である。
【図５】本考案の椅子のパッドの底部に結合される気圧棒組立体が高さの調節を実行される場合の様子を示す説明図である。
【図１】
0003104634.tif 000003
【図２】
0003104634.tif 000004
【図３】
0003104634.tif 000005
【図４】
0003104634.tif 000006
【図５】
0003104634.tif 000007